(57)【要約】      （修正有）【課題】識別内容を表示する表示プレートを汚れから保護し得、必要に応じて防水対策も講じ得、管類や線類に自由にかつ確実に取付可能な表示具を提供する。【解決手段】線類等の識別情報を表示するための表示プレート１と、上面に表示プレート１を保持する保持用凹部２を備え、両側部に線類保護管ｐに取り付ける取付プレート８を連結する連結部３、３を備え、前後端にプレート被覆材６の前後端の係止片７、７を係止し得る突起４、４を備えた表示具本体５と、前後端に係止片７、７を備え、保持用凹部２に装入した表示プレート１を上方からカバーする透明のプレート被覆材６と、プレート本体８ａ、その一端に形成した、線類保護管ｐの端部の雄ねじ部ｓに外装嵌合し得る半環状結合部８ｂ及びプレート本体８ａに立ち上げた、表示具本体５の両側部の連結部３、３に係合し得る二つの係合立片８ｃ、８ｃを備えた取付プレートとで構成する。【選択図】図１
2008070491.tif 000002
【特許請求の範囲】
【請求項１】
線類又は管類の識別情報を表示するための表示プレートと、
上面に表示プレートを保持する保持用凹部を備え、両側部に後記取付手段を連結する連結部を備え、更に前後端に後記プレート被覆材の前後端の係止片を係止し得る突起を備えた表示具本体と、
前記保持用凹部に装入した前記表示プレートを上方から抑えて保持する少なくとも該表示プレートに対応する部位が透明であるプレート被覆材であって、その前後端に前記表示具本体の前後端の突起に係止する係止片を備えたプレート被覆材と、
板状の取付手段本体、その一部に形成した、前記線類保護管の端部の雄ねじ部に外装嵌合し得る半環状結合部、及び該取付手段本体の他の部位に構成した、前記表示具本体の両側部の連結部に係合し得る二つの係合手段を備えた取付手段と、
で構成した表示具。
【請求項２】
前記連結部を、前記表示具本体の両側下部から各々斜め外方に向かって立ち上げた弾性連結片と、該連結片の外面に形成した連結突起とで構成した請求項１の表示具。
【請求項３】
前記取付手段の係合手段を、板状の取付手段本体から前記表示具本体の幅で立ち上げた二つの係合立片と、該各係合立片に開口した、前記連結突起に係合する係合孔とで構成した請求項２の表示具。
【請求項４】
前記プレート被覆材に代えて、内部に前記表示プレートを収納し得、その外面側の少なくとも表示プレートに対応する部位が透明である収納空間を備え、かつ前後端に前記表示具本体の前後端の突起に係止する係止片を備えた透明の防水カバー部材を採用し、
加えて該防水カバー部材の該収納空間に収納した表示プレートに重ねて後記順序で収納する弾性の防水シート及び背面に前記表示具本体の保持用凹部に嵌入する嵌入突部を備えた防水シート抑え板を採用し、
該防水カバー部材の収納空間に表示プレート、防水シート及び防水シート抑え板を収納配置した状態で、該防水カバー部材を、前記表示具本体の上面に配置し、前記防水シート抑え板の嵌入突部を表示具本体の保持用凹部に嵌入させつつ前後端の係止片を表示具本体の前後端の突起に係止させて固定し得るように構成した請求項１の表示具。
【請求項５】
前記連結部を構成する連結片の外側に後記係止バンドを挿入可能な間隔でバンド抑えバーを配し、
他方、前記取付手段に代えて、内面にその長さ方向に沿って前記連結突起と係止し得る複数の係止突条を連設した係止バンドであって、取付対象を抱持した状態でその両端側を該バンド抑えバーと該連結片の間に装入し、相互を後者の連結突起と係止突条とで係止できるように構成した係止バンドを採用することとした請求項２の表示具。
【請求項６】
前記バンド抑えバーを前記表示具本体に分離可能に一体成形した請求項５の表示具。
【請求項７】
前記バンド抑えバーを、前記表示具本体に着脱自在に取り付けた請求項５の表示具。
【請求項８】
前記連結片に前記間隔で配した前記バンド抑えバーは、その一側端でのみ前記表示具本体の側部に結合し、他側部には、該連結片と該バンド抑えバーとの間への係止バンドの装入を許容し外れを防止するバンド外れ防止部を構成した請求項６又は７の表示具。
【請求項９】
前記取付手段本体の裏面側に面状取付対象への接合固定手段を構成した請求項１の表示具。
【請求項１０】
前記取付手段に代えて、
板状の取付手段本体と、該取付手段本体に立ち上げた前記表示具本体の両側部の連結部に係合し得る二つの係合手段と、該取付手段本体に構成した、前記線類保護管の開口部に近接する位置の面状取付対象に取り付けるための接合固定手段とを備えた平面用取付手段を採用した請求項１の表示具。
【発明の詳細な説明】
【技術分野】
【０００１】
本発明は、建造物に設置された電力供給用や信号伝達用の各種線類又はこれらを装入して敷設する保護管、或いは種々のガス類や液体類の供給用の配管類等について、それらの用途や延長先その他の情報をそれらの線類や管類等に表示しておくための表示具に関するものである。
【背景技術】
【０００２】
近年、各種の事務所や工場等では、情報化が進展し、情報機器類や装置類の導入や入れ替えが生じ、これに伴い電線やケーブル類の敷設工事や引き替え工事が必要となることが多い。このとき、これらの工事を担当する設計者、工事施工業者、或いは設備管理者は、当然、対象となる電線やケーブル、又はそれらを装入した管類の延長先や用途等の識別が必要となる。
【０００３】
しかし従来の端子盤、制御盤又は配線ボックス類に接続された管の延長先（行き先）や用途等の識別情報は、これを管に取り付けて表示する手段が提供されておらず、表示札を用い、これを付随する紐やバンド類を用いてその管内に敷設された予備線に取り付けて表示するようにしているのが普通であり、そのように表示札が取り付けられた予備線は、電線やケーブルの敷設に用いられ、その工事で撤去され、同時に表示札も撤去されてしまっていることが多い。
【０００４】
前記表示札は、以上のような従来の用法では電線類の敷設時に撤去されてしまうため、その後の工事の際には全く役に立たなくなってしまうが、取付対象を敷設した電線類に変えることにより、その後のために残すことは当然可能であり、表示札を電線やケーブルの識別情報の表示のために利用する利用例もある。
【０００５】
なお、この種の表示札は、表示プレートと、その一部に突出形成された結合環と、該結合環から延長した紐部であって、滑り止め用の環状突条がその長さ方向に沿って定間隔で多数形成された紐部とで構成されたものが普通である。このような表示札は、その表示プレートに取付対象の管類の延長先その他の必要な表示をした上で、対象の管類の適当な部位に前記紐部を巻き付け、該紐部の先端側から前記結合環に通して絞ることにより、取付固定するものである。環状突条の作用で、上記紐部は該結合環から容易に抜けないようになっている。
【０００６】
上記表示札は、ある程度の有効性は認められるが、その表示プレートに全く被覆がないので、その表面に記載された表示内容が汚れにより不鮮明となり、判読できなくなってしまうことも多いという問題がある。また取付対象の管類から吊り下げられた状態になっているものであるため、他の電線や管類に紛れて見つけにくくなっている場合も多い。
【０００７】
このような表示札には、その紐部に関する改良例（特許文献１）があり、この表示札は、表示プレートと、該表示プレートから延長した第１紐部と、該第１紐部から延長した第２紐部であって、取付対象の管類に巻き付けた上で、該表示プレート及び第１紐部を貫通させることができる挿通孔を備えた第２紐部とからなるものであり、該挿通孔の外端側にはこれと連通して設けられた紐係合部が形成してあるものである。
【０００８】
この特許文献１の表示札は、先に述べた表示札よりは若干複雑な構成となっているが、それだけ、取付対象の管類から外れたりしにくい構成となっている。しかし、その表示プレートは、取付対象から単に吊り下げられた状態になり、他の管や線類に紛れて見つけにくくなる虞があるのは変わらず、更には表示プレートの表面に記載されている表示内容が汚れ等により不鮮明になる虞があるのも変わっていない。
【０００９】
以上の外に、表示プレートと、これをスライド挿脱自在に取り付けるホルダ部材と、該ホルダ部材を取付対象のコードに取り付けるための取付手段とで構成したコード用表示装置が提案されている（特許文献２）。
【００１０】
上記装置の取付手段としては、一つには、ホルダ部材自体の下部に構成したコード抱持部が提案されており、該コード抱持部は、該ホルダ部材自体の長さ方向中央に構成したヒンジにより開閉自在に構成したものとなっている。これはヒンジでコード抱持部を開閉して取付対象のコードの所望の部位に該部位を抱持することで取り付けることができるものである。
【００１１】
もう一つは、ホルダ部材の両側部に各々形成した挿通孔と、その一方の外側にヒンジ結合したロック片と、バンドとで構成したそれが提案されており、これは、一方の挿通孔に上方からバンドを挿通させ、端部の突部を該挿通孔の上部縁に係止させた上で、取付対象のコードの所望の部位を抱えるように巻き、他端側をホルダ部材の他側部の挿通孔に下方から挿入し、可能なだけ引き上げる。該バンドの外面側には定間隔で突部が形成してあり、他側部の挿通孔では、該突部の内、挿通孔直上のそれに、前記ロック片をヒンジ部で外側から内側に反転させて係止させ、該バンドの他端側を該挿通孔に固定する。
【００１２】
こうしてこの特許文献２のコード用表示装置では、コードから表示プレートを吊り下げるような取付態様ではなく、その見やすい位置に直接に取り付けることが可能になり、かつ取付態様もスマートなものとなる。表示プレートが交換可能なので対象のコードの接続先が変更された場合には、これに応じて対応する記載内容の表示プレートに交換することも可能である。
【００１３】
このようにこの特許文献２のコード用表示装置によれば、それ以前のこの種の器具に比べて種々の利点があるが、表示プレートが露出状態であるため、その表面に汚れが付着して読み取り不能になる問題は解消されていない。更にこの種の表示具は、このコード用表示装置の対象とするコードばかりでなく、湿気のある場所に設置される管類その他にも有用に適用できる物であることが好ましく、そのような観点からは、表示プレートに防水対策がなく、この面でも表示内容が長期にわたって保持されない虞がある。またこの特許文献２のコード用表示装置はコード以外の管類のような対象物に取り付けることが考慮されていない問題もある。
【００１４】
また前記特許文献１の表示部及び取付紐に関して若干の工夫を加えたと思われる表示札も提案されている（特許文献３）。
これは、表示部の面では、透明材で構成されたシート宛部と同様に透明材で構成されたシート被い部とをヒンジを介して開閉自在に結合し、それらの間に表示シートを挟んで閉じると共に、その状態を固定できるように相互の周囲に互いに嵌め合い状態になる係合手段を構成したものである。
【００１５】
従ってこの特許文献３の表示札によれば、表示部は、その表面に汚れが付着した場合は拭き取りが可能であり、読み取り不能になる不都合は解消されることになる。もっとも防水対策は全く考慮されていないので、前記下その問題は解消されない。
【００１６】
取付紐に関係する面では、前記表示部の上端に配した十字形の取付用のスリットを有する係止部と、該係止部の両側下部から該係止部を囲むように環状に構成した連結片と、該連結片の中央部から延長した取付紐とで構成したものである。
【００１７】
従ってこの特許文献３の表示札によれば、これを管又は線等の被表示体に取り付ける場合に、表示部の向きを該被表示体に対して直交する向きにしたい場合は、単に取付紐を該被表示体に巻き付け、その端部側から係止部の十字形の取付用のスリットの内、対応する側に挿入して締め付ければ、そのような向きの取付ができることになる。他方、表示部を被表示体と平行な向きで取り付けたい場合は、前記環状の連結片の左右のいずれかの部位を切断した上で、同様に被表示体に取付紐を巻き付け、該表示部を該被表示体と平行な向きにセットし、該取付紐の先端部側を、前記直交取付の場合とは９０度異なる向きで係止部のスリットに挿入し、締め付ければ、そのような向きでの取付ができることになる。
【００１８】
このようにこの特許文献３の表示札によれば、表示部を被表示体の向きと平行に、或いは直交状態に容易に取り付け得ることは認められるが、被表示体と平行状態に取り付ける場合は、前記のように、環状の連結片の一部を切断するものであり、切断された連結片が不自然な形で周囲に突出したりし、周辺部材と引っかかってしまうような虞もある。そしてこれが表示札の取付の安定性を阻害する可能性もある。合理的でスマートな構成とは云いがたい。
【００１９】
【特許文献１】特開２００１−４２７７６号公報
【特許文献２】実開平０５−５５４１３号公報
【特許文献３】特開２００３−１４０５５６号公報
【発明の開示】
【発明が解決しようとする課題】
【００２０】
本発明は、以上の従来技術の問題点を解決し、取付対象の識別内容を表示する表示プレートを汚れから保護し得、必要に応じて防水対策も講じることが可能であり、管類や線類に自由にかつ確実に取付可能な表示具を提供することを解決の課題とするものである。
【課題を解決するための手段】
【００２１】
本発明の１は、線類又は管類の識別情報を表示するための表示プレートと、
上面に表示プレートを保持する保持用凹部を備え、両側部に後記取付手段を連結する連結部を備え、更に前後端に後記プレート被覆材の前後端の係止片を係止し得る突起を備えた表示具本体と、
前記保持用凹部に装入した前記表示プレートを上方から抑えて保持する少なくとも該表示プレートに対応する部位が透明であるプレート被覆材であって、その前後端に前記表示具本体の前後端の突起に係止する係止片を備えたプレート被覆材と、
板状の取付手段本体、その一部に形成した、前記線類保護管の端部の雄ねじ部に外装嵌合し得る半環状結合部、及び該取付手段本体の他の部位に構成した、前記表示具本体の両側部の連結部に係合し得る二つの係合手段を備えた取付手段と、
で構成した表示具である。
【００２２】
本発明の２は、本発明の１の表示具に於いて、
前記連結部を、前記表示具本体の両側下部から各々斜め外方に向かって立ち上げた弾性連結片と、該連結片の外面に形成した連結突起とで構成したものである。
【００２３】
本発明の３は、本発明の２の表示具に於いて、
前記取付手段の係合手段を、板状の取付手段本体から前記表示具本体の幅で立ち上げた二つの係合立片と、該各係合立片に開口した、前記連結突起に係合する係合孔とで構成したものである。
【００２４】
本発明の４は、本発明の１の表示具に於いて、
前記プレート被覆材に代えて、内部に前記表示プレートを収納し得、その外面側の少なくとも表示プレートに対応する部位が透明である収納空間を備え、かつ前後端に前記表示具本体の前後端の突起に係止する係止片を備えた透明の防水カバー部材を採用し、
加えて該防水カバー部材の該収納空間に収納した表示プレートに重ねて後記順序で収納する弾性の防水シート及び背面に前記表示具本体の保持用凹部に嵌入する嵌入突部を備えた防水シート抑え板を採用し、
該防水カバー部材の収納空間に表示プレート、防水シート及び防水シート抑え板を収納配置した状態で、該防水カバー部材を、前記表示具本体の上面に配置し、前記防水シート抑え板の嵌入突部を表示具本体の保持用凹部に嵌入させつつ前後端の係止片を表示具本体の前後端の突起に係止させて固定し得るように構成したものである。
【００２５】
本発明の５は、本発明の２の表示具に於いて、
前記連結部を構成する連結片の外側に後記係止バンドを挿入可能な間隔でバンド抑えバーを配し、
他方、前記取付手段に代えて、内面にその長さ方向に沿って前記連結突起と係止し得る複数の係止突条を連設した係止バンドであって、取付対象を抱持した状態でその両端側を該バンド抑えバーと該連結片の間に装入し、相互を後者の連結突起と係止突条とで係止できるように構成した係止バンドを採用することとしたものである。
【００２６】
本発明の６は、本発明の５の表示具に於いて、
前記バンド抑えバーを前記表示具本体に分離可能に一体成形したものである。
【００２７】
本発明の７は、本発明の５の表示具に於いて、
前記バンド抑えバーを、前記表示具本体に着脱自在に取り付けたものである。
【００２８】
本発明の８は、本発明の６又は７の表示具に於いて、
前記連結片に前記間隔で配した前記バンド抑えバーは、その一側端でのみ前記表示具本体の側部に結合し、他側部には、該連結片と該バンド抑えバーとの間への係止バンドの装入を許容し外れを防止するバンド外れ防止部を構成したものである。
【００２９】
本発明の９は、本発明の１の表示具に於いて、前記取付手段本体の裏面側に面状取付対象への接合固定手段を構成したものである。
【００３０】
本発明の１０は、本発明の１の表示具に於いて、前記取付手段に代えて、板状の取付手段本体と、該取付手段本体に立ち上げた前記表示具本体の両側部の連結部に係合し得る二つの係合手段と、該取付手段本体に構成した、前記線類保護管の開口部に近接する位置の面状取付対象に取り付けるための接合固定手段とを備えた平面用取付手段を採用したものである。
【発明の効果】
【００３１】
本発明の１の表示具によれば、線類保護管について各々その識別情報を表示プレートに表示して、該線類保護管に容易に見やすい状態で取り付けられることになり、既設の線類保護管の用途・種別・延長先等の識別情報が明瞭となり、それが長期間にわたり汚れることなく保持されるため、その後の情報機器の取り替え等、種々の理由による工事の際に、正確かつスピーディに工事を行うことができることになる。
【００３２】
前記のように、表示プレートに対象の線類保護管の識別情報を記入した上で、該表示プレートを表示具本体の保持用凹部に装入し、プレート被覆材で被覆する。該プレート被覆材はその前後端の係止片を表示具本体の前後端の突起に係止して上記位置に保持する。こうして該表示プレートは、プレート被覆材でカバーされて容易に汚れたり、表示が消えたりすることがなくなる。
【００３３】
他方、前記取付手段の半環状結合部を、識別対象の線類保護管の管端の雄ねじ部の内端に外装嵌合し、該線類保護管を制御盤その他の対象に固定する際に利用するナット部材を該雄ねじ部に螺合して該半環状結合部を該線類保護管の雄ねじ部内端に固定する。この後、表示プレートを保持凹部に保持してプレート被覆材でカバーした表示具本体を該取付手段に取付固定する。この取付固定は、表示具本体の両側部の連結部を該取付手段の二つの係合手段にそれぞれ係合することで行うものである。こうして識別対象の線類を保護する線類保護管に表示具を取り付けることで、その識別表示を容易かつ確実に行うことができる。
【００３４】
本発明の２の表示具によれば、前記連結部を、弾性連結片及び連結突起による構成としたため、対応する取付手段の係合手段として簡単で確実にこれと係合できる種々の構成を採用することができる。
【００３５】
本発明の３の表示具によれば、極めて簡単な構成で確実に本発明の２の表示具本体の連結部に取付手段の係合手段を係合することができる。
【００３６】
本発明の４の表示具によれば、これを設置する領域に水が入って来やすい等、湿気の多い領域である場合にも、識別情報を表示した表示プレートはそのような水分に晒されることがないため、表示部分が汚れたり、消えたりするような問題が生ぜず、長期にわったって確実な識別情報の表示を継続することができる。
【００３７】
対象の線類保護管の識別情報を記載した表示プレートは、防水カバー部材の収納部に表示面を表側に向けて装入し、その上に、厚めの防水シート及び防水シート抑え板をその順序で収納配置する。次いで、このようにその収納部に表示プレート等を収納配置した防水カバー部材を、表示具本体の上面側に、該防水シート抑え板の嵌入突部を保持用凹部に嵌入させつつ配置する。そして該防水カバー部材を防水シートを押し潰しながら押し下げ、その前後端の係止片を該表示具本体の前後端の突起に係止させることにより、容易に取付固定することができる。
【００３８】
こうして表示プレートは、防水カバー部材の収納部に収納され、背後から弾性の防水シートで圧接されて密閉され、この密閉状態は防水シート抑え板で確実に抑えられるようになっている。そのため、該表示プレートの防水は確実に保持されるものである。
【００３９】
本発明の５の表示具によれば、線類保護管の管端に適切に取り付けることができない場合は、これを利用して線類保護管の途中の所望の部位に係止バンドを利用して容易に取り付けることができる。或いは、識別対象の線類に係止バンドを利用して容易に取り付けることができる。
【００４０】
取付対象の線類保護管又は線類の所望の部位に係止バンドを抱持状態にし、その両端側を表示具本体の連結部に配したバンド抑えバーと連結片との間に装入し、該係止バンドの両端を引っ張って該係止バンドと表示具本体の裏面側で該取付対象の線類保護管又は線類を締め付け状態にする。このとき、該係止バンドの対応する位置の係止突条と連結片の連結突起とが係止し合い、その締め付け状態が保持される。こうして係止バンドにより表示具本体は線類保護管又は線類の所望の部位に確実に固定されることになる。
【００４１】
本発明の６の表示具によれば、前記取付手段で表示具本体を取付対象の線類保護管に取り付ける場合は、前記バンド抑えバーを前記表示具本体から分離除去することができる。取付手段に表示具本体を取り付ける場合は、先に述べたように、該バンド抑えバーは不要であるが、特に邪魔になるようなこともない。しかし、該バンド抑えバーが不要であって、周囲の物品との干渉が生じる虞があるような場合には、これを分離除去した方が都合がよい。このような場合に容易に分離できるので好都合である。
【００４２】
本発明の７の表示具によれば、前記取付手段で表示具本体を取付対象の線類保護管に取り付ける場合は、前記バンド抑えバーは、その取り付けに不要であるので、これを前記表示具本体に取り付けないようにすることができる。このように、該バンド抑えバーは、特に必要がある場合にのみ取り付け得るようになっているため、必要がない場合に取り付けないようにすることにより、周囲の物品との干渉の問題が生じる虞がなくなり好都合である。
【００４３】
本発明の８の表示具によれば、係止バンドで表示具本体を線類の所望部位に取り付ける場合に、該係止バンドの両端側をそれぞれバンド抑えバーと連結片との間にバンド外れ防止部の構成してある側から容易に滑り込ませることができ、このようにして滑り込ませた係止バンドの両端側は、該部位から容易に抜け出して外れてしまうようなことはない。従って取り扱い性が極めて良好となる。
【００４４】
本発明の９の表示具によれば、線類保護管が壁の中にあり、管端が壁面と同面になっていて雄ねじ部内端に取り付けることが困難な事情がある場合、又は線類保護管の端部の雄ねじ部にナットが配してない場合などに対応して該線類保護管に間接的に取り付けることができる。
例えば、前者の場合は、取付手段本体の半環状結合部を管端の開口部に軸心を一致させて配置すると共に、接合固定手段を用いて該取付手段を該壁面に取付固定する。接合固定手段としては、例えば、半環状結合部の裏面周囲に適宜数のネジ穴を開口しておき、これを利用して壁面にネジ止めすることが可能であり、或いは、該接合固定手段としては、半環状結合部の周囲又は取付手段本体の裏面に予め接着してある接着テープで構成しておき、該接着テープを利用して壁面に接着固定することも可能である。更には糊を利用することも可能である。
後者の場合はナットを利用することができないので、該取付手段を、該線類保護管に近接させつつ、該線類保護管が取り付けられているボックス類の底部に配した上で、前記接合固定手段である前記ネジ穴又は前記接着テープを利用して該ボックス類の底部に接合固定することもできる。
こうして該線類保護管の情報を該表示具によって表示することができる。
【００４５】
本発明の１０の表示具によれば、本発明の９の表示具と同様に、線類保護管が壁の中にあり、管端が壁面と同面になっていて雄ねじ部内端に取り付けることが困難な事情がある場合、或いは線類保護管の端部の雄ねじ部にナットが配してない場合などに対応して該線類保護管に間接的に取り付けることができる。この本発明の１０の表示具は、特に、線類保護管の径が、通常用意しておくのに適当な半環状結合部の内径と一致しない大径又は小径であるような場合に、特に有効である。
なお前者の場合は、取付手段を管端の開口部に近接して配置すると共に、取付手段本体に構成した接合固定手段を用いて該取付手段を該壁面に取付固定する。接合固定手段としては、取付手段本体の幅方向中央に長さ方向に沿って配した適宜数のネジ穴で構成することができ、これを利用して壁面にネジ止めすることが可能である。或いは、取付手段本体の裏面に予め接着しておく両面テープ等の接着テープで構成しておき、これを利用して壁面に接着固定することも可能である。更には糊を利用することも可能である。
後者の場合は、ナットを利用することができないので、該取付手段の取付手段本体を該線類保護管が取り付けられているボックス類の底部に前記接合固定手段である前記ネジ穴又は前記接着テープを利用して接合固定することもできる。
こうして該線類保護管の識別情報を表示具によって表示することができる。
【発明を実施するための最良の形態】
【００４６】
発明を実施するための最良の形態を図面を参照しながら以下の実施例に基づいて説明する。
【実施例１】
【００４７】
この実施例１の表示具は、図１(a)、(b)、(c)、図２(a)、(b)及び図３(a)〜(d)に示すように、表示プレート１と、上面に保持用凹部２を、両側部に連結部３、３を、更に前後端に突起４、４を、それぞれ備えた表示具本体５と、該表示具本体５の上面を被覆するプレート被覆材６であって、前後端に前記突起４、４に係止する係止片７、７を備えたプレート被覆材６と、表示具本体５を線類保護管ｐの管端に取り付けるための取付プレート（取付手段）８とで構成したものである。
【００４８】
前記表示プレート１は、図１(b)及び図２(a)に示すように、その一面に識別対象の種々の線類又は管類の識別情報、例えば、その延長接続先情報や用途情報等を表示することができる長方形の薄板状部材であり、適当なプラスチックシート等を該表示プレート１として採用することができる。該表示プレート１は、プレートと称しているが、この明細書中及び特許請求の範囲中では紙片をも含む概念である。その平面寸法は、前記表示具本体５の保持用凹部２に収納配置することが可能なそれに設定し、厚みはその深さより充分薄い物とする。なお、この実施例１では、線類保護管ｐの識別情報を記入することとなる。
【００４９】
前記表示具本体５は、弾力性を有するプラスチック材によって成形した物であり、図１(a)、(b)、(c)及び図２(a)、(b)に示すように、基本的に直方体状をなし、上面の保持用凹部２は、該表示具本体５の上面中央に前端から後端まで連続する凹部に形成したものであり、その深さは、前記表示プレート１の厚みに前記プレート被覆材６の厚みを加えた厚み寸法にほぼ等しい深さとし、平面形状も該表示プレート１の平面形状である長方形に対応する長方形に形成したものである。
【００５０】
両側部の連結部３は、図１(a)、(b)及び図２(a)、(b)に示すように、前記表示具本体５の両側中央部の下部から各々斜め外方に向かって立ち上げた弾性連結片３ａと、該弾性連結片３ａの外面に形成した連結突起３ｂとで構成したものである。該弾性連結片３ａは、該表示具本体５の側部該当部位に形成した連結部用空間の底部から斜め外方に向かって立ち上げた如くに成形したものである。また該弾性連結片３ａは、常態ではその連結突起３ｂが該表示具本体５の側面より僅かに外側方向に突出した状態を維持し、これを内側に押す外力が加わると、該弾性連結片３ａは、その連結突起３ｂが該表示具本体５の側面と同面になる程度まで弾力的に後退可能であるものとする。この弾力性は、これを一体に構成する表示具本体５の成形材であるプラスチック材の弾力性により確保することができる。
【００５１】
該連結突起３ｂは、具体的には、図１(a)、(b)及び図２(a)、(b)に示すように、該弾性連結片３ａの外方に斜め上向きに突出する傾斜面３ｂ１とその上部の係止段差面３ｂ２とで構成したものである。この実施例１では、弾性連結片３ａの外面に二つの連結突起３ｂ、３ｂを二段に形成した。
【００５２】
前記突起４は、前記のように、この実施例１では、表示具本体５の前後端の中央に一個ずつ設けた要素であり、該突起４は、図１(a)、(b)、(c)及び図２(a)、(b)に示すように、該表示具本体５の前後端の該当部位から斜め下向きに突出させた傾斜面４ａと、その下部の水平下面４ｂとからなるものである。
【００５３】
前記表示具本体５の両端部には、図１(a)及び図２(a)、(b)に示すように、その各左右両側に、後述する防水カバー部材９をその上面上に配する際に、これが正しくその上面上に位置決めされるように、その両係止片９ｂ、９ｂを正確に前記突起４、４に係止させるべく案内する案内突部５ａ、５ａを突設しておくものとする。この案内突部５ａ、５ａは、同図に示すように、各内側面が下方に向かって相互に近づく斜面に構成され、該表示具本体５を端部方向から見ると、両案内突部５ａ、５ａの内側面は、下方に向かってその間隔が狭くなるテーパ状となる。
【００５４】
また前記表示具本体５の下部は、図１(a)、(b)、(c)及び図２(a)、(b)に示すように、前後端側から見て、全体として中央部が凹んだ凹面天井５ｃと両側の脚部５ｄ、５ｄとからなる門型形状とし、更にその前後端にのみ、凹面天井５ｃの両側に若干短い小脚部５ｅ、５ｅを垂下させて小門型部を追加的に構成してなるものである。種々の径の管に取り付ける際にガタつきなく取り付けやすくする趣旨である。
【００５５】
なお、前記表示具本体５には、更にその両側部に各々詳細はそれぞれ後述するバンド外れ防止部５ｆ及び後記連結腕部１４ｂを嵌合する取付溝５ｇを形成しておくものとする。
【００５６】
更に前記プレート被覆材６は、図１(a)、(b)、(c)及び図２(a)、(b)に示すように、前記表示具本体５の保持用凹部２の幅を僅かに下回る幅で、僅かに長い長方形のプレート部材の前後端にそれぞれこれと直交する方向に垂下する係止片７を配した構成のものである。その両端の係止片７、７以外の部分の厚みは、これの厚みと前記表示プレート１の厚みとを加えた厚みが前記保持用凹部２の深さを僅かに越える程度となるように設定する。
【００５７】
また前記係止片７、７は、下方に垂下した四辺形の板状に構成し、かつ、それぞれその中央部に、前記表示具本体５の前後端の突起４、４に係止するための係止口７ａを備えたものとし、該プレート被覆材６を、表示プレート１を装入配置した表示具本体５の保持用凹部２に被覆する際に、その前後端の係止片７、７が弾性変形しつつ前記突起４、４を乗り越え、図１(a)、(b)、(c)及び図２(b)に示すように、その係止口７ａ、７ａが該突起４、４に係止し得るようにしたものである。
【００５８】
なお該プレート被覆材６は、全体が透明な弾力性を有するプラスチック材により一体に構成してあり、以上のような表示具本体５への装着の際の係止片７、７の弾性変形を可能とし、更にこのプレート被覆材６の外部から保持用凹部２に配した表示プレート１の表示内容を透視することを可能としているものである。
【００５９】
前記取付プレート８は、図１(a)、(b)及び図３(a)〜(d)に示すように、プレート本体（板状の取付手段本体）８ａと、その一端部から突出状に形成した半環状結合部８ｂと、プレート本体８ａ上に前記表示具本体５の幅を僅かに越える間隔で立ち上げた二つの係合立片（係合手段）８ｃ、８ｃとで構成したものである。前記半環状結合部８ｂは、取付対象の線類保護管ｐの端部の雄ねじ部ｓの内端に外装嵌合し得る径に構成する。また該係合立片８ｃ、８ｃは、図１(a)、(b)及び図３(a)〜(d)に示すように、その内側を方形に切り欠いてなる係合孔８ｃ１を開口した物に構成した。なおこの取付プレート８は、金属板を打ち抜きかつ折曲して形成したものである。
【００６０】
従ってこの実施例１の表示具によれば、端子板の底板等に結合した線類保護管ｐの識別情報を表示プレート１に表示して、該線類保護管ｐに容易にかつ見やすい状態で取り付けることができる。こうして該線類保護管ｐの用途・種別・延長先等の識別情報が明瞭に認識できるようになり、かつそれが長期間にわたって汚れることなく保持されるため、その後の、例えば、情報機器の取り替え等の種々の理由による工事の際に、それらを正確に認識してスピーディに工事を行うことができることになる。
【００６１】
この実施例１の表示具は、以下のように、使用する。
まず、前記のように、表示プレート１に対象の線類保護管ｐの識別情報を記入した上で、該表示プレート１を、図２(a)、(b)に示すように、表示具本体５の保持用凹部２に装入し、前記プレート被覆材６で被覆する。表示プレート１への識別情報の記入は、種々の印刷手段による記入や筆記具による記入まで自由に採用することができる。該プレート被覆材６はその前後端の係止片７、７を表示具本体５の前後端の突起４、４に係止して上記位置に保持する。詳細には、先に述べたような過程を経て、該係止片７、７の係止口７ａ、７ａが該突起４、４に係止することになる。こうして前記保持用凹部２に装入した表示プレート１は、該プレート被覆材６でカバーされて容易に汚れたり、表示が消えたりすることがなくなる。表示内容は、プレート被覆材６が透明であるためこれを通じて視認することができる。
【００６２】
他方、前記取付プレート８の半環状結合部８ｂを、図３(a)、(b)、(c)に示すように、その順序で、識別対象の線類保護管ｐの端部の雄ねじ部ｓの内端に外装嵌合し、次いで、図３(d)に示すように、該線類保護管ｐを端子盤その他の対象に固定する際に利用するナット部材ｎを該雄ねじ部ｓに螺合して該半環状結合部８ｂを該線類保護管ｐの雄ねじ部ｓの内端に固定する。
【００６３】
この後、図１(a)、(b)、(c)に示すように、表示プレート１を保持凹部２に保持してプレート被覆材６でカバーした表示具本体５を該取付プレート８に取付固定する。この取付固定は、表示具本体５の両側部の連結部３を該取付プレート８の二つの係合立片８ｃ、８ｃにそれぞれ係合することで行うものである。これは、以上の表示具本体５を、両側部の連結部３、３を係合立片８ｃ、８ｃに対応させながらその間に下降させ、連結部３、３の弾性連結片３ａ、３ａに形成した上方の連結突起３ｂを該係合立片８ｃ、８ｃの係合孔８ｃ１、８ｃ１に係合させることで行う。
【００６４】
こうして識別対象の線類保護管ｐの端部に表示具を取り付けることで、該線類保護管ｐの識別表示を容易かつ確実に、かつ長期にわたって汚れることなく行うことができる。
【実施例２】
【００６５】
この実施例２の表示具は、図４(a)、(b)及び図５(a)〜(g)に示すように、前記プレート被覆材６に代えて防水カバー部材９を採用し、加えてこれに伴って必要となる防水シート１０及び防水シート抑え板１１を採用したものであり、これ以外の点は、全て実施例１の表示具と同様である。従って以下には、実施例１と異なる部分についてのみ説明し、同様の部分については説明の都合上必要な場合を除いては説明しない。
【００６６】
前記防水カバー部材９は、図４(a)、(b)及び図５(a)〜(e)に示すように、箱形のカバー部材本体９ａと、その前後端から垂下した係止片９ｂ、９ｂとを透明の弾力性を有するプラスチック材により一体に成形したものである。該カバー部材本体９ａは、同図に示すように、前記表示プレート１、前記防水シート１０及び前記防水シート抑え板１１の本体部分をその順序で、かつ該防水シート１０を若干押し潰して収納できる直方体を基本とする収納空間９ｃを備え、かつ前記係止片９ｂ、９ｂは、それぞれその中央部に、前記表示具本体５の前後端の突起４、４に係止するための係止突起９ｂ１を備えたものとする。またこの係止片９ｂ、９ｂは、各々その両側部が下方に向かって細くなるテーパ状に構成してあり、そのテーパ状の部分の寸法は、表示具本体５の端部に構成した前記案内突部５ａ、５ａの間のテーパ状間隔にほぼ一致させてある。それ故、以上のように、表示プレート１等を収納空間９ｃに収納した状態で、該表示具本体５の上面に、該防水カバー部材９をセットしようとすると、該係止片９ｂ、９ｂは適切に案内され、その係止突起９ｂ１、９ｂ１が該表示具本体５の両端部の各突起４の下部に確実に係止されることになる。
【００６７】
前記収納空間９ｃは、特に図５(a)〜(e)に示すように、その最奥部が表示プレート１用の小空間９ｃ１となっており、その縦横及び深さの寸法を該表示プレート１の縦横及び厚み寸法に対応させてあり、最奥部の小空間９ｃ１以外の部分の縦横寸法は最奥部の小空間９ｃ１のそれより僅かに大寸法とし、最奥部の小空間９ｃ１以外の部分の深さ寸法は防水シート１０の厚み及び防水シート抑え板１１の本体部分の厚みの合算寸法を僅かに下回る寸法としたものである。該防水シート１０の弾力性を利用して前記表示プレート１をガタつきなく支持すると共に確実に密閉する趣旨である。
【００６８】
前記防水シート１０は、図４(a)及び図５(a)〜(e)に示すように、弾力性のある合成ゴムによって構成した平板状の部材であり、前記したように、前記収納空間９ｃの最奥部以外の部分の縦横寸法を僅かに下回る縦横寸法を有し、他方、厚みは、該収納空間９ｃの小空間９ｃ１以外の部分の深さ寸法から前記防水シート抑え板１１の本体部分の厚み寸法を減算した残余の寸法を越える寸法としたものである。先に述べた密閉性を高め、防水性を高める趣旨からである。
【００６９】
前記防水シート抑え板１１は、図４(a)及び図５(a)〜(e)に示すように、前記防水シート１０と同一の平面寸法の板状の本体部分と、その下面側中央に突設した嵌入突部１１ａとで構成したものであり、プラスチック材によって成形した物である。なお該防水シート抑え板１１の本体部分の厚みは、前記防水シート１０の二倍程度に設定し、該嵌入突部１１ａの縦横及び突出寸法は、前記表示具本体５の保持用凹部２の縦横及び深さ寸法に対応させた物とする。
【００７０】
なおこの実施例２では、図５(f)、(g)に示すように、防水シート抑え板１１と表示プレート１とを一体に成形しておき、表示プレート１に識別対象の線類保護管ｐの識別情報を記した表示シールを貼って表示した後に、相互に切断分離するように構成した。このように構成した方が、表示シールを貼る際には操作がしやすく好都合である。
【００７１】
従ってこの実施例２の表示具によれば、これを設置する領域が水が入り易い等の湿気の高い領域である場合には、識別情報を表示した表示プレート１がそのような水分に晒されることがないため、表示部分が汚れたり、消えたりするような問題が生ぜず、長期にわったって確実な識別情報の表示を継続することができる。
【００７２】
対象の線類保護管ｐの識別情報を表示した表示プレート１は、図５(a)、(b)に示すように、防水カバー部材９を上下反転させた上で、その収納空間９ｃの最奥部の小空間９ｃ１に下向きにして（下側を表示面として）装入し、該収納空間９ｃのそれより上部には順次防水シート１０及び防水シート抑え板１１の本体部分を装入する。当然防水シート抑え板１１の嵌入突部１１ａは、この状態で上向きになっている。
【００７３】
この後、図５(c)に示すように、表示プレート１等を収納空間９ｃに装入した防水カバー部材９を上下反転させ、図４(b)及び図５(d)、(e)に示すように、前記表示具本体５の上部に被覆する。このとき、該防水カバー部材９の両端の係止片９ｂ、９ｂは、該表示具本体５の端部で両側の案内突部５ａ、５ａに案内されて適切に位置決めされ、その係止突起９ｂ１、９ｂ１が該表示具本体５の端部の突起４、４に良好に係止することになる。防水カバー部材９の本体部分も適切に位置決めされ、この状態で収納空間９ｃの最下部に位置する防水シート抑え板１１の嵌入突部１１ａは表示具本体５の上面の保持用凹部２に嵌合状態となり、防水シート１０は必要な寸法まで圧縮され、表示プレート１は、完全に防水された状態となる。また防水カバー部材９は透明の部材で構成されているので、表示プレート１の表示内容は外部から透視できるのは云うまでもない。
【００７４】
以上に述べた事項以外は用法に於いても実施例１と全く同様である。
【実施例３】
【００７５】
実施例３の表示具は、図６(a)、(b)に示すように、取付プレート８の半環状結合部８ｂの両先端直前及び基部側両側部にネジ止め用のネジ穴８ｂ１、８ｂ１…を開口したものである。なお上記ネジ穴８ｂ１、８ｂ１…に代えて該半環状結合部８ｂの裏面側には両面接着テープを接着しておくこともできる。この場合は、該両面接着テープの表面側には剥離紙を貼って接着面をカバーしておく必要がある。これ以外の点は全て実施例１又は実施例２と同様である。
【００７６】
従ってこの実施例３の表示具によれば、図６(b)に示すように、線類保護管ｐが壁ｗの中にあり、管端が壁ｗの面と同面になっていて雄ねじ部ｓの内端に取り付けることが困難な事情がある場合に有効に使用することができる。更に線類保護管ｐの端部の雄ねじ部ｓにナット部材ｎが配してない場合にも有効に使用することができる。
【００７７】
前者の場合には、取付プレート８を、その半環状結合部８ｂを、該線類保護管ｐの端部開口部に、相互に軸心を一致させて配置し、前記四個のネジ穴８ｂ１、８ｂ１…を通じてネジｂを壁ｗ内にねじ込むことで壁面に固定することができる。或いは前記剥離紙を剥がして前記両面接着テープで壁ｗ面に接着固定することもできる。これ以外の事項に関しては構成・作用・効果共に実施例１又は実施例２と全く同様である。
後者の場合は、ナット部材ｎを利用することができないので、取付プレート８を、その半環状結合部８ｂを、該線類保護管ｐの雄ねじ部ｓを抱持するような状態に配し、その裏面側を該線類保護管ｐが取り付けられているボックス類の底部ｆに接合させた上で、前記ネジ穴８ｂ１、８ｂ１…を通じてネジｂをねじ込むことで該底部ｆに固定することができる。或いは、前記接着テープを利用して該ボックス類の底部ｆに接着固定することもできる。
【実施例４】
【００７８】
実施例４の表示具は、図７に示すように、表示具本体１５の両側部に各々二つの連結部３、３を構成し、両端部に各々二つの突起４、４を構成し、更にその下部には、前後端側から見て、全体として中央部が凹んだ凹面天井５ｃと両側の脚部５ｄ、５ｄとからなる門型形状とし、その前後端の小門型部は構成しなかったものであり、それ以外は、実施例１〜３の表示具本体５と同様の構成である。連結部３、突起４、凹面天井５ｃ及び脚部５ｄの構成も同様である。なおこの実施例４では、前記表示具本体１５の両側部には各々二つの連結部３、３を構成し、前後端には各々二つの突起４、４を構成したが、これらは、表示具本本体１５のサイズに応じて更に多数とすることもあり得る。
【００７９】
取付プレート１８は、図７に示すように、前記表示具本体１５の連結部３、３…の構成に対応して二つずつ対向状態に係合立片８ｃ、８ｃ…を立ち上げ構成したものである。各係合立片８ｃの構成自体は実施例１、２、３のそれと全く同様である。この他、図示していないプレート被覆材６の両係止片７、７に、それぞれ前記表示具本体１５の両端部の二つの突起４、４に対応する二つの係止口７ａ、７ａを設けること、図示しない防水カバー部材９の係止片９ｂ、９ｂに、同様に、それぞれ対応する二つの係止突起９ｂ１、９ｂ１を設けることとすべきであるが、それ以外の構成は、実施例１〜３のそれぞれ対応する構成と全く同様である。なお、前記取付プレート１８に立ち上げる係合立片８ｃの数その他の構成は、前記表示具本体１５の連結部３の構成及び数に対応させるべきものあるから、後者の数が増えたり、構成に変更があればそれに対応したものにすべきなのは云うまでもない。
【００８０】
従ってこの実施例４の表示具によれば、基本的に、実施例１〜３と同様に使用することが可能であり、同様な効果を得ることができる。
特に、実施例１〜３の表示プレート１より若干大きなそれを使用する必要があり、各構成要素を大型化する必要がある場合等に好都合である。
【実施例５】
【００８１】
実施例５の表示具は、図８に示すように、その表示具本体１５の構成は、実施例４のそれと全く同様である。この実施例５は、取付プレート２８に特徴を有しており、基本的に実施例４の取付プレート１８から半環状結合部８ｂを除去した構成であり、この点が重要な違いである。それ以外の構成はほぼ実施例４と同様である。
【００８２】
該取付プレート２８は、図８に示すように、長方形のプレート本体２８ａに、前記表示具本体１５の連結部３、３…の構成に対応させて二つずつ対向状態に係合立片２８ｃ、２８ｃ…を立ち上げ、更に該プレート本体２８ａの幅方向中央に長さ方向に沿って二つのネジ穴２８ｂ、２８ｂを開口したものである。該二つのネジ穴２８ｂ、２８ｂは、これに代えて取付プレート２８の裏面側に両面接着テープを接着しておくこととすることもできる。この場合は、該両面接着テープの表面側の接着面に剥離紙を貼り付けカバーしておくものとする。前記係合立片２８ｃは、実施例４のそれとほぼ同様であるが、プラスチック材で成形した物であるため、若干の違いがある。即ち、該係止立片２８ｃは、四辺形枠状の構成で、その上部枠に、実施例１〜４のそれと同様に、前記連結部３に於ける連結突起３ｂの係止段差面３ｂ２が係止することで、前記表示具本体１５を固定できるようになっている。なおこの実施例５の取付プレート２８は、前記したように、これに構成した他の構成要素も含めてプラスチック材で一体に成形したものである。
【００８３】
この他、図示していないプレート被覆材６の両係止片７、７に、それぞれ前記表示具本体１５の両端部の二つの突起４、４に対応する二つの係止口７ａ、７ａを設けること、図示しない防水カバー部材９の係止片９ｂ、９ｂに、同様に、それぞれ対応する二つの係止突起９ｂ１、９ｂ１を設けることとすべきであるが、これらは実施例４と全く同様である。これら以外の構成は、先に述べたところから理解されるように、実施例１〜４のそれぞれ対応する構成と全く同様である。
【００８４】
従ってこの実施例５の表示具によれば、取付プレート２８を線類保護管ｐに直接固定しない点を除いては実施例４と殆ど同様に用いることができ、それ故、この点を除いては全く同様に作用し、同様の効果を得ることができる。
【００８５】
この実施例５の表示具は、図９(a)、(b)に示すように、線類保護管ｐが壁ｗの中にあり、その管端が壁ｗの面と同面になっている場合や、図示していない場、線類保護管ｐの端部の雄ねじ部ｓにナット部材ｎが配してない場合などに使用可能なものであり、特に、該線類保護管ｐの径が通常のそれより大径又は小径であり、他の実施例の取付プレート８、１８の半環状結合部８ｂの内径では対応できない場合に有効に使用することができる。
【００８６】
線類保護管ｐが壁ｗの中にあり、その管端が壁ｗの面と同面になっている前者の場合には、図９(a)に示すように、取付プレート２８を、該線類保護管ｐの端部開口部に近接して壁面に配置し、前記二個のネジ穴２８ｂ、２８ｂを通じてネジｂを壁ｗ内にねじ込むことで壁面に固定することができる。また、こうして壁ｗ面に固定した取付プレート２８に、図９(b)に示すように、表示具本体１５を取り付け、線類保護管ｐに近接して表示具を取付配置することができることになる。その他の構成・作用・効果は、いずれも実施例４と全く同様である。なおこの場合に、前記ネジ穴２８ｂ、２８ｂに代えて両面接着テープを利用し、これにより取付プレート２８を壁ｗ面に接着固定することもできるのは云うまでもない。
【００８７】
線類保護管ｐの端部の雄ねじ部ｓにナット部材ｎが配してない後者の場合には、ナット部材ｎを利用することができないので、該取付プレート２８を該線類保護管ｐに近接させて該線類保護管ｐが取り付けられているボックス類の底部ｆに配し、前記ネジ穴２８ｂ、２８ｂを利用してネジｂによるねじ止め固定を行い又は前記接着テープを利用して該底部ｆに接着固定することができる。
【実施例６】
【００８８】
この実施例６の表示具は、図１０(a)〜(d)及び図１１(a)〜(c)に示すように、表示具本体５の連結部３の外側方に着脱自在なバンド抑えバー１２を配し、かつ実施例１〜５の取付プレート８、１８、２８に代えて係止バンド１３を使用して取付対象である線類ｃ又は線類保護管ｐ等に取り付けるように構成したものである。この実施例６で特に示しているのは線類ｃへの取付の例である。それ以外の構成は、実施例１〜３までのそれと全く同様である。以下原則として異なる部分に関してのみ説明する。
【００８９】
前記バンド抑えバー１２は、取付補助具１４と一体に構成され、これを利用して表示具本体５に取り付けられるようになっている。特に図１１(a)に示すように、取付補助具１４は、中央の補助具本体１４ａと、その一端側両側部から側方に延びる連結腕部１４ｂ、１４ｂと、該各連結腕部１４ｂ、１４ｂの外端から更に延長したバー保持部１４ｃ、１４ｃとからなり、前記バンド抑えバー１２は該バー保持部１４ｃ、１４ｃの先端にそれぞれ一体にかつ該補助具本体１４ａと平行に構成されているものである。
【００９０】
前記補助具本体１４ａは、前記表示具本体５の下部の前記凹面天井５ｃの内、前後端の各一対の小脚部５ｅ、５ｅの間に嵌り込む長さ寸法で、下部に該小脚部５ｅ、５ｅと同様の小脚部１４ａ１、１４ａ１を備えたものである。また前記連結腕部１４ｂ、１４ｂは、該補助具本体１４ａを、上記のように、表示具本体５の下部の凹面天井５ｃ中に嵌め込んだ状態で、特に図１１(c)に示すように、該表示具本体５の取付溝５ｇ、５ｇに嵌合し得る位置関係及び幅で該補助具本体１４ａの側部から突出させた構成とし、更にその高さ方向の寸法も以上の状態で取付溝５ｇ、５ｇに嵌合させた場合に、該補助具本体１４ａの下面が該表示具本体５の下面と一致する高さになるように設定する。
【００９１】
また前記バー保持部１４ｃ、１４ｃは、図１０(a)〜(d)及び図１１(a)、(b)に示すように、以上のように、補助具本体１４ａを表示具本体５の下部の凹面天井５ｃ中に嵌め込み、連結腕部１４ｂ、１４ｂを取付溝５ｇ、５ｇに嵌め込んだ状態で、その高さが表示具本体５の側部の高さと一致するようにその寸法を設定する。また該バー保持部１４ｃ、１４ｃの側方への突出寸法は、これと一体に構成されるバンド抑えバー１２と、これと対面する表示具本体５の連結部３との間隔が、後述するように、この間に配された係止バンド１３が該バンド抑えバー１２によって良好な連結部３との係合が実現できるように背後から抑えられる関係となるような間隔寸法となるように設定する。
【００９２】
前記バンド抑えバー１２は、図１０(a)〜(c)及び図１１(a)〜(c)に示すように、前記バー保持部１４ｃからこれと同一高さ寸法でこれと直交する向き、即ち、該表示具本体５と平行に延長したものであり、該連結部３に対面する状態に配したものである。このバンド抑えバー１２は、該バー保持部１４ｃによって片持ち状態に支持されるものであるから、該バンド抑えバー１２の反対側端部の側は、開放状態となっている。
【００９３】
前記バンド外れ防止部５ｆは、特に図１１(a)〜(c)に示すように、表示具本体５の上記開放状態の側に配された構成要素であり、前記連結部３の弾性連結片３ａを立ち上げた連結部用空間の側面５ｂに向かって外方に波状に膨らむ傾斜面５ｆ１と、該側面５ｂから延長する防止面５ｆ２とで構成したものである。
【００９４】
前記係止バンド１３は、市販のバンドであり、特に図１０(d)に示すように、その内面側に長さ方向に直交する向きの係止突条１３ａを長さ方向に沿って定間隔で多数配した物である。
【００９５】
なお図１１(c)中、５ｊは、表示具本体５の両脚部５ｄ、５ｄの内面にそれぞれ内側に向けて突出させた突起であり、前記補助具本体１４ａを、前記のように、表示具本体５の下部の凹面天井５ｃと両脚部５ｄ、５ｄとの間に嵌め込んだ場合に、嵌め込まれた補助具本体１４ａの両側部と両脚部５ｄ、５ｄとの間に位置して、該表示具本体５を弾力的に固定する役割を果たす物である。
【００９６】
従ってこの実施例６の表示具によれば、線類保護管ｐ又は線類ｃの途中の所望の部位に係止バンド１３を利用して容易に取り付けることができる。
【００９７】
線類の途中に取り付ける場合を例にとって説明すると、まず、図１１(a)、(b)、(c)に示したように、表示具本体５に、前記バンド抑えバー１２を、取付補助具１４を介して取り付けておくものとする。この取り付けは、先に述べたように、補助具本体１４ａを表示具本体５の下部の凹面天井５ｃ中に嵌め込み、同時に両連結腕部１４ｂ、１４ｂを取付溝５ｇ、５ｇに嵌め込むことによって容易に行うことができる。
【００９８】
次いで、図１０(a)に示すように、取付対象の線類ｃの所望の部位に係止バンド１３を抱持状態にし、該係止バンド１３の両端側を、前記のようにバンド抑えバー１２、１２を取り付けた表示具本体５の連結部３、３の弾性連結片３ａと該バンド抑えバー１２との間に装入する。この装入は、バンド抑えバー１２のバー保持部１４ｃと連結していない開放側から行うこととする。表示具本体５のこの部位には、バンド外れ防止部５ｆが形成してあるが、係止バンド１３の各端部側は、その傾斜面５ｆ１をスライドしながら乗り越え前記弾性連結片３ａとバンド抑えバー１２との間に容易に装入することができる。また装入された係止バンド１３は、該バンド外れ防止部５ｆの防止面５ｆ２によってその間から容易に離脱し得なくなる。
【００９９】
この後、図１０(b)に示すように、該係止バンド１３の両端側を引き上げ、線類ｃを該係止バンド１３と表示具本体５の下面との間で締め付け抱持状態にし、次いで、図１０(c)、(d)に示すように、該係止バンド１３のバンド抑えバー１２及び弾性連結片３ａの上端より上に出ている部分をカットする。なお、該係止バンド１３は、その内面の係止突条１３ａが該弾性連結片３ａの連結突起３ｂに係止し、この状態が、該係止バンド１３の背後からバンド抑えバー１２で抑えられているため、維持され、更にそのため上記締め付け抱持状態が維持される。なおまた該連結突起３ｂが、該弾性連結片３ａの外方に斜め上向きに突出する傾斜面３ｂ１とその上部の係止段差面３ｂ２とで構成されたものであり、かつ弾性連結片３ａが文字通り弾力性を持つものであるため、該係止バンド１３の前記引き上げが可能となっているものでもある。
【０１００】
こうして係止バンド１３により表示具本体５は線類ｃの所望の部位に確実に固定されることになる。なおこの実施例６の表示具では、この他、実施例１〜３と同様に使用して同様の効果を得ることができる。
【実施例７】
【０１０１】
この実施例７の表示具は、図１２に示すように、バンド抑えバー１２を前記表示具本体５に分離可能に一体成形したものである。その他の点は、実施例６と全く同様である。当然、バンド抑えバー１２自体は、実施例６のそれと全く同様の構成である。
【０１０２】
このバンド抑えバー１２は、図１２に示すように、前記表示具本体５の側部に突設したバー保持部５ｈ、５ｈの先端に片持ち状態に一体に接続構成したものである。またこのバー保持部５ｈ、５ｈは、該表示具本体５の側部に、実施例６のバー保持部１４ｃ、１４ｃと同一の位置関係となるように、一体に結合成形したものであり、かつその途中には上下貫通する切断補助孔５ｉを開口形成してある。
【０１０３】
従ってこの実施例７の表示具によれば、係止バンド１３を使用して線類ｃ又は線類保護管ｐに取り付ける場合は、実施例６と全く同様に使用可能であり、取付プレート８を使用して線類保護管ｐに取り付ける場合は、実施例１〜３と同様に使用することができる。後者の場合は、バンド抑えバー１２が存在する状態でも取付プレート８との結合は可能であるが、周囲の物品との関係で邪魔になる場合は、バー保持部５ｈ、５ｈの部分で切断することで、該バンド抑えバー１２を取り除くことも可能である。バー保持部５ｈ、５ｈに切断補助孔５ｉが形成してあるため、この切断が容易に行われ得るものである。
【０１０４】
以上に述べた以外の点に関しては、実施例１〜３と同様に使用し、同様の作用効果を得ることができる。
【図面の簡単な説明】
【０１０５】
【図１】(a)は実施例１の表示具を線類保護管の端部に取り付けた状態の斜視図。(b)は(a)のｂ−ｂ線断面図、(c)は線類保護管を省略した(a)のｃ−ｃ線断面図。
【図２】(a)は実施例１の表示具の表示具本体、表示プレート及びプレート被覆材の分離状態の斜視図、(b)は実施例１の表示具の表示具本体に表示プレート及びプレート被覆材を取り付けた状態の斜視図。
【図３】(a)は実施例１の取付プレートの斜視図、(b)は線類保護管の雄ねじ部内端にその取付プレートを嵌合しようとしている状態を示す斜視図、(c)は線類保護管の雄ねじ部内端に嵌合した取付プレートをナット部材で螺合固定しようとしている状態の斜視図、(d)は線類保護管の雄ねじ部内端に嵌合した取付プレートをナット部材で螺合固定した状態の斜視図。
【図４】(a)は表示具本体と、表示プレートと、これを表示具本体に防水状態で取り付けるための防水カバー部材その他の部材を分離状態で示した実施例２の斜視図、(b)は表示具本体に表示プレートを防水態様で取り付けた状態を示す実施例２の斜視図。
【図５】(a)は防水カバー部材にセットする表示プレート、防水シート及び防水シート抑え板を分離状態で示した実施例２の断面図、(b)は実施例２の表示プレート、防水シート及び防水シート抑え板をセットした状態の防水カバー部材の断面図、(c)は(b)の状態から上下反転させた状態の実施例２の防水カバー部材等の断面図、(d)は実施例２の表示プレート等をセットした防水カバー部材を表示具本体に取り付けた状態の幅方向中央部縦断面図、(e)は実施例２の表示プレート等をセットした防水カバー部材を表示具本体に取り付けた状態の長さ方向中央部縦断面図、(f)は実施例２の一体に構成した防水シート抑え板と表示プレートとの平面図、(g)は実施例２の一体に構成した防水シート抑え板と表示プレートとの平面図。
【図６】(a)は実施例３の取付プレートの平面図、(b)は実施例３の取付プレートを壁面に開口した線類保護管の管端に対応させて取り付け、防水状態で表示プレートを保持した表示具本体をセットしようとしている状態を示す斜視図。
【図７】実施例４の表示具本体及び取付プレートを示す斜視図。
【図８】実施例５の表示具本体及び取付プレートを示す斜視図。
【図９】(a)は、実施例５の取付プレートを壁面に開口した線類保護管の管端に近接して取り付けた状態を示す斜視図、(b)は、その取付プレートに防水状態で表示プレートを保持した表示具本体をセットした状態を示す斜視図。
【図１０】(a)は線類保護管の途中に係止バンドを抱持状態に掛け渡し、その両端側を表示具本体の連結部の弾性連結片とバンド抑えバー１２との間に装入し、又は装入しようとしている状態を示す実施例６の斜視図、(b)は線類保護管の途中に抱持状態に掛け渡した係止バンドの両端を引き上げて締付抱持した状態を示す実施例６の斜視図、(c)はバンド抑えバーより上方に突出する係止バンドの両端を切断した状態の実施例６の斜視図、(d)はバンド抑えバーより上方に突出する係止バンドの両端を切断した状態の実施例６の断面図。
【図１１】(a)は実施例６のバンド抑えバーを一体に構成した取付補助具と表示具本体との分離状態の斜視図、(b)は実施例６のバンド抑えバーを一体に構成した取付補助具と表示具本体との結合状態の斜視図、(c)は実施例６のバンド抑えバーを一体に構成した取付補助具と表示具本体との結合状態の底面図。
【図１２】実施例７の表示具本体に表示プレート及びプレート被覆材を取り付けた状態の斜視図。
【符号の説明】
【０１０６】
１    表示プレート
２    保持用凹部
３    連結部
３ａ  弾性連結片
３ｂ  連結突起
３ｂ１  連結突起の傾斜面
３ｂ２  係止段差面
４    突起
４ａ  突起の傾斜面
４ｂ  水平下面
５    表示具本体
５ａ  案内突部
５ｂ  連結部用空間の側面
５ｃ  凹面天井
５ｄ  脚部
５ｅ  小脚部
５ｆ  バンド外れ防止部
５ｆ１  バンド外れ防止部の傾斜面
５ｆ２  防止面
５ｇ  取付溝
５ｈ  表示具本体に一体に形成したバー保持部
５ｉ  切断補助孔
５ｊ  脚部内面の突起
６    プレート被覆材
７    係止片
７ａ  係止口
８    取付プレート（取付手段）
８ａ  プレート本体（板状の取付手段本体）
８ｂ  半環状結合部
８ｂ１  ネジ穴
８ｃ  係合立片（係合手段）
８ｃ１  係合孔
９    防水カバー部材
９ａ  カバー部材本体
９ｂ  カバー部材本体の係止片
９ｂ１  係止突起
９ｃ  収納空間
９ｃ１  小空間
１０  防水シート
１１  防水シート抑え板
１１ａ  嵌入突部
１２  バンド抑えバー
１３  係止バンド
１３ａ  係止突条
１４  取付補助具
１４ａ  補助具本体
１４ａ１  小脚部
１４ｂ  連結腕部
１４ｃ  バー保持部
１５  表示具本体
１８  取付プレート（取付手段）
２８  取付プレート（取付手段）
２８ａ  プレート本体
２８ｂ  ネジ穴
２８ｃ  係合立片
ｂ    ネジ
ｃ    線類
ｆ    底部
ｎ    ナット部材
ｐ    線類保護管
ｓ    雄ねじ部
ｗ    壁
【図１】
2008070491.tif 000003
【図２】
2008070491.tif 000004
【図３】
2008070491.tif 000005
【図４】
2008070491.tif 000006
【図５】
2008070491.tif 000007
【図６】
2008070491.tif 000008
【図７】
2008070491.tif 000009
【図８】
2008070491.tif 000010
【図９】
2008070491.tif 000011
【図１０】
2008070491.tif 000012
【図１１】
2008070491.tif 000013
【図１２】
2008070491.tif 000014